(57)【要約】【課題】ラミネートフィルムの繰り出し動作が確実で、空気溜りを生じることなくラベル等にきれいに貼り付けることができるラミネートフィルム自動貼付装置を提供する。【解決手段】多数のラミネートフィルム８が帯状の台紙９に並列して剥離可能に貼り付けられているラミネートフィルム基材３を繰り出し案内板１３と押えゴム板１４との間に挟んで繰り出し、繰り出し案内板１３の先端部分で台紙９を折り返して、該台紙９から剥離されたラミネートフィルム８を前方へ繰り出すフィルム繰り出し部５と、弾性パッド２３の表面に摩擦係数の小さい四フッ化エチレンなどの絶縁体からなる吸着部材２４を設けた吸着ヘッド７とを備え、台紙９から剥離されて前方へ繰り出されたラミネートフィルム８の非粘着面を吸着部材２４に静電気により吸着させ、吸着したラミネートフィルム８を印字されたラベル２５等の表面に重ね合わせ、弾性パッド２３で押圧して、ラミネートフィイルム８をラベル２５に貼り付けてラミネート層を形成する。【選択図】        図１
2004237568.tif 000002
【特許請求の範囲】
【請求項１】
所定の形状、寸法に切り抜いた多数のラミネートフィルムが帯状の台紙に並列して剥離可能に貼り付けられているラミネートフィルム基材と、
前記ラミネートフィルム基材を挟んで所定長さずつ繰り出す繰り出し案内板の先端部分で前記台紙を折り返して、該台紙から剥離された前記ラミネートフィルムを前方へ繰り出すフィルム繰り出し部と、
弾性パッドの表面に摩擦係数の小さい四フッ化エチレンなどの絶縁体からなる吸着部材を設けた吸着ヘッドとで構成され、
前記吸着ヘッドは、前記フィルム繰り出し部の近傍に配設され、前記台紙から剥離されて前方へ繰り出された前記ラミネートフィルムの非粘着面を前記吸着部材に静電気により吸着させ、吸着した前記ラミネートフィルムを印字されたラベル等の表面に重ね合わせ、前記弾性パッドで押圧して、前記ラミネートフィイルムを前記ラベルに貼り付けてラミネート層を形成することを特徴とするラミネートフィルム自動貼付装置。
【請求項２】
前記フィルム繰り出し部は、前記繰り出し案内板に対設した押え部材を備えている請求項１記載のラミネートフィルム自動貼付装置。
【請求項３】
前記押え部材が押えゴム板である請求項２記載のラミネートフィルム自動貼付装置。
【請求項４】
前記押え部材が押えローラである請求項２記載のラミネートフィルム自動貼付装置。
【請求項５】
前記繰り出し案内板が断面Ｖ字形又はＵ字形の溝形状に形成され、前記押え部材が前記Ｖ字形又はＵ字形に対応する形状を有し、前記台紙から剥離して繰り出される前記ラミネートフィルムが断面Ｖ字形又はＵ字形に屈曲され、座屈を防止している請求項２記載のラミネートフィルム自動貼付装置。
【請求項６】
前記弾性パッドが中央を屈曲させた形状を有し、該弾性パッドで押圧される前記ラミネートフィルムが中央部位から徐々に外側方へ押えられて前記ラベルに貼り付けられることを特徴とする請求項１ないし５のいずれかに記載のラミネートフィルム自動貼付装置。
【請求項７】
前記吸着ヘッドが、ラベルプリンタのラベル発行口の近傍位置に上下動可能に設置され、その下降時に前記ラベル発行口から繰り出される印字されたラベルに前記ラミネートフィルムを貼り付けてラミネート層を形成することを特徴とする請求項１ないし６のいずれかに記載のラミネートフィルム自動貼付装置。
【発明の詳細な説明】
【０００１】
【発明の属する技術分野】
本発明は、例えばラベルの印字箇所を保護するためにラベルの表面に透明のフィルムを貼り付けてラミネート層を形成するのに適したラミネートフィルム自動貼付装置に関するものである。
【０００２】
【従来の技術】
インク等で印字されたラベルは、太陽光線や外気、雨、ほこり、摩禍等によって印字箇所が劣化したり損傷を受け易いので、印字されたラベルの表面に透明のフィルムを重ね合わせて貼り付けてラミネート層を形成し印字箇所を保護することは知られている。
【０００３】
【発明が解決しようとする課題】
しかし、ラベルの大きさとほぼ同じ形状、寸法のラミネートフィルムをラベルに重ね合わせて貼り付けるには手間と時間を要し、しかも位置がずれて貼り付けられることが多かった。また、ラミネートフィルムの粘着面とラベル表面との間に空気が入り、この空気によって透明度が低下して、ラベルの印字、特にバーコードの読み取りにエラーが生じるという問題があった。
【０００４】
一方、ラミネートフィルムを貼り付けるために負圧による吸着ヘッドを用いると、ラミネートフィルムの吸着保持に真空発生装置が必要となり、設備費が高くつく。のみならず、ラミネートを吸着するために吸着ヘッドに設けられる吸着孔の周辺において前記ラミネートフィルムに局部的な凹部が生じ、該ラミネートフィルムをラベルに貼り付けたとき、前記凹部に空気溜りができ、この空気溜りによって前述した透明度の低下が生起するという問題があった。
【０００５】
本発明は、上記のような問題点を解決するものであり、ラミネートフィルムの繰り出し部と吸着ヘッドの構成が簡単でありながら、繰り出し動作が確実で、しかも空気溜りを生じることなくラベル等に重ね合わせてきれいに貼り付けることができ、特にラベルプリンタに併設するのに適したラミネートフィルム自動貼付装置を提供することを目的とする。
【０００６】
【課題を解決するための手段】
上記目的を達成するために、本発明によるラミネートフィルム自動貼付装置は、所定の形状、寸法に切り抜いた多数のラミネートフィルムが帯状の台紙に並列して剥離可能に貼り付けられているラミネートフィルム基材と、前記ラミネートフィルム基材を挟んで所定長さずつ繰り出す繰り出し案内板の先端部分で前記台紙を折り返して、該台紙から剥離された前記ラミネートフィルムを前方へ繰り出すフィルム繰り出し部と、弾性パッドの表面に摩擦係数の小さい四フッ化エチレンなどの絶縁体からなる吸着部材を設けた吸着ヘッドとで構成され、前記吸着ヘッドは、前記フィルム繰り出し部の近傍に配設され、前記台紙から剥離されて前方へ繰り出された前記ラミネートフィルムの非粘着面を前記吸着部材に静電気により吸着させ、吸着した前記ラミネートフィルムを印字されたラベル等の表面に重ね合わせ、前記弾性パッドで押圧して、前記ラミネートフィルムを前記ラベルに貼り付けてラミネート層を形成することを特徴とする。
【０００７】
ラミネートフィルムの繰り出しを確実にし、かつ、繰り出し時における座屈を防止するために、前記フィルム繰り出し部に押え部材を設けるが、該押え部材は押えゴム板又は押えローラが好ましい。特にラミネートフィルムの座屈を効果的に防止するには、前記フィルム繰り出し部の前記繰り出し案内板を断面Ｖ字形又はＵ字形の溝形状に形成し、かつ、前記押え部材を前記Ｕ字形に対応する形状を有するものとして、前記台紙から剥離して繰り出される前記ラミネートフィルムが断面Ｖ字形又はＵ字形に屈曲されるようにすることが好ましい。
【０００８】
また、前記弾性パッドは、中央が突曲した形状にすることが好ましく、該弾性パッドで押圧されるラミネートフィルムは中央部位から徐々に外側方へ押えられてラベルにきれいに貼り付けられる。
【０００９】
さらに、本発明によるラミネートフィルム自動貼付装置を既設のラベルプリンタに併設する場合には、前記吸着ヘッドが、ラベルプリンタのラベル発行口の近傍位置に上下動可能に設置され、その下降時に前記ラベル発行口から繰り出される印字されたラベルに前記ラミネートフィルムを貼り付けてラミネート層を形成するように構成される。
【００１０】
【発明の実施の形態】
以下、本発明の好適な実施の形態を図面に基づいて説明する。
【００１１】
図１は、本発明によるラミネートフィルム自動貼付装置１をラベルプリンタ２に併設した実施形態を示している。
【００１２】
ラミネートフィルム自動貼付装置１は、リール状に巻回したラミネートフィルム基材３のリール保持部４と、フィルム繰り出し部５と、台紙巻取り部６と、吸着ヘッド７とを備えている。ラミネートフィルム基材３は、後述するラベルに対応する所定の形状、寸法に切り抜いた多数のラミネートフィルム８が帯状の台紙９に並列して剥離可能に貼り付けられている（図２参照）。該ラミネートフィルム基材３はリール保持部４から連続的に送り出され、ガイドローラ１０を介してフィルム繰り出し部５に給送される。
【００１３】
フィルム繰り出し部５は、フレーム１１の開口部１２から水平方向に突出して配設された繰り出し案内板１３と、該繰り出し案内板１３に対向位置する押えゴム板１４とを備えており、繰り出し案内板１３と押えゴム板１４との間にラミネートフィルム基材３を挟んで所定長さずつ繰り出すと共に、繰り出し案内板１３の先端部分で台紙９を折り返して、該台紙９から剥離したラミネートフィルム８を前方へ繰り出すようになっている。１５は光電スイッチで、ラミネートフィルム基材３が所定長さ繰り出されたことを検出し、ラミネートフィルム基材３の給送を停止させるために設けられている。
【００１４】
台紙巻取り部６は、フィルム繰り出し用電動モータ１６により回転される駆動ゴムローラ１７と従動ローラ１８とで構成され、繰り出し案内板１３の先端部分で折り返された台紙９をガイドローラ１９を介して駆動ゴムローラ１７と従動ローラ１８との間に挟んで引っ張って巻き取ることにより、ラミネートフィルム基材３を所定長さずつフィルム繰り出し部５に給送する。そして、光電スイッチ１５が繰り出し長さを検出して、フィルム繰り出用電動モータ１６を停止するようになっている。
【００１５】
吸着ヘッド７は、エアシリンダ２０のピストンロッド２１に取り付けたパッド受台２２と、該パッド受台２２に装着され中央が突曲した弾性パッド２３と、該弾性パッド２３の表面に添着した絶縁体の吸着部材２４とで構成されている。弾性パッド２３はスポンジゴムなどの比較的軟らかい弾性材料の板状片を湾曲させて作られている。また、吸着部材２４は四フッ化エチレンなどの摩擦係数の小さい絶縁性プラスチック材料のシート材が好ましい。
【００１６】
上述した吸着ヘッド７は、図１に示すように、弾性パッド２３表面の吸着部材２４がフィルム繰り出し部５の繰り出し方向延長上に位置するように設置され、台紙９から剥離されその粘着面を下向きにして繰り出されるラミネートフィルム８を静電気により吸着部材２４に吸着する。吸着部材２４にラミネートフィルム８を吸着した吸着ヘッド７は、エアシリンダ２０のピストンロッド２１により押し下げられ、後述するように下方に位置したラベル２５（図２、図４参照）の表面にラミネートフィルム８を重ね合わせ、続いて弾性パッド２３で押圧して、ラミネートフィルム８を中央部位から徐々に外側方へ押えながらラベル２５に貼り付けてラミネート層を形成するようになっている。
【００１７】
ラベル２５は、図２示すように、帯状の台紙２６に並べて剥離可能に貼り付けられていて、ラベルプリンタ２の図示しない印字部でバーコード、番号などが印字された後、ラベル発行口２７から台紙２６と一緒に繰り出され、ラベル発行口２７の前方に配置したラベル載せ台２８の所定位置で停止して待機する。ラベル２５がラベル載せ台２８の所定位置に繰り出されると、光電スイッチ２９がこれを検出して台紙２６の送りが停止するようになっている。この停止状態において、前述のように吸着ヘッド７が下降し、図４に示すように、弾性パッド２３表面の吸着部材２４に吸着したラミネートフィルム８がラベル２５に重ね合わされ、弾性パッド２３で押圧してラベル２５に貼り付けられるのである。
【００１８】
図５及び図６は、ラミネートフィルム８が薄くて腰が弱い場合、あるいは湿度や温度の影響により、フィルム繰り出し部５から繰り出される途中で座屈して垂れ下がるのを防止するための手段を講じた実施の形態を示している。
【００１９】
この実施の形態は、図６に良く示されてように、繰り出し案内板３０が断面形状Ｖ字形の溝形に形成され、押えゴム板１４に代えて押えローラ３１が使用されている。該押えローラ３１は、外周面が繰り出し案内板３０のＶ字形に対応する膨出形状を有し、かつ、押えローラ３１を回転自在に支持する支持軸３２の両端部に掛止したばね３３，３３によって、押えローラ３１が繰り出し案内板３０に押し付けられるように付勢されている。
【００２０】
上記構成により、フィルム繰り出し部５を通じて台紙９と共に繰り出されるラミネートフィルム８は、繰り出し案内板３０と押えローラ３１とによって挟み付けられ、断面Ｖ字形に屈曲した癖がつけられて腰が強くなり、座屈が防止される。
【００２１】
なお、繰り出し案内板３０はＶ字形に代えてＵ字形としてもよい。この場合、押えローラ３１の外周面も繰り出し案内板３０のＵ字形に対応する膨出形状とする。
【００２２】
図７及び図８は、図５及び図６に示した実施の形態における押えローラ３１の押え機構を変更した例を示している。
【００２３】
この実施の形態では、押えローラ３１は幅狭で、該押えローラ３１を回転自在に軸支する支持軸３２には押えローラ３１を挟んでカラー３４，３４が嵌装されている。一方、支持軸３２の両端に連設した軸受部３５，３６の軸芯と支持軸３２の軸芯とが偏芯している。また、一方の軸受部３５はボルト頭状に形成され、他方の軸受部３６はねじ軸に形成されている。
【００２４】
上記構成により、両端軸受部３５，３６の軸芯の周りに支持軸３２を回転させると、両端軸受部３５，３６に対する偏芯量の範囲内で位相が変位し、押えローラ３１による押圧力を加減でき、適当な押圧力になったところで軸受部３６のねじ軸にねじ嵌合した締付けナット３７を締め付けて支持軸３２を固定させると、所定の押圧力がラミネートフィルム８に付与されることになる。そして、フィルム繰り出し部５を通じて台紙９と共に繰り出されるラミネートフィルム８は、繰り出し案内板３０と押えローラ３１とによって挟み付けられ、断面Ｖ字形に屈曲した癖がつけられて腰が強くなり、座屈が防止される。この場合も、繰り出し案内板３０をＶ字形に代えてＵ字形とし、押えローラ３１の外周面を繰り出し案内板３０のＵ字形に対応する膨出形状とする。
【００２５】
【発明の効果】
以上説明したように、本発明よれば、フィルム繰り出し部と吸着ヘッドの構成が簡単で、特に前記吸着ヘッドの弾性パッド表面に設けた絶縁体からなる吸着部材にラミネートフィルムを静電気により吸着するので、従来の負圧を利用した吸着ヘッドのように真空発生装置を必要とせず、安価に製作できる。また、中央が屈曲した前記弾性パッドで吸着したラミネートフィルムをラベル等に重ね合わせ、中央部分から徐々に外側方へ押えながら貼り付けるので、ラミネートフィルムとラベルとの間に空気が入ることが無く、きれいに貼り付けることができる。
【００２６】
請求項５に係る発明によれば、前記フィルム繰り出し部から繰り出されるラミネートフィルムは断面Ｖ字形又はＵ字形に折り曲げて座屈強度が高められるので、湿度や温度の影響でラミネートフィルムが座屈してラベルとの位置がずれたり、ラミネートフィルムの繰り出しが不完全になる等のおそれもなく、繰り出し動作がより確実になる。
【００２７】
請求項７に係る発明によれば、既設のラベルプリンタにラミネートフィルム自動貼付装置を簡単に併設することができ、設備費を大幅に低減できる。
【図面の簡単な説明】
【図１】本発明によるラミネートフィルム自動貼付装置をラベルプリンタに併設した例を示す概略正面図である。
【図２】同上要部の概略平面図である。
【図３】同上フィルム繰り出し部の正面図である。
【図４】同上吸着ヘッドの作動状態を示す説明図である。
【図５】フィルム繰り出し部の別の実施形態を示す側面図である。
【図６】図５示したフィルム繰り出し部の要部縦断正面図である。
【図７】フィルム繰り出し部のさらに別の実施形態を示す側面図である。
【図８】図７に示したフィルム繰り出し部の要部縦断正面図である。
【符号の説明】
１  ラミネートフィルム自動貼付装置
２  ラベルプリンタ
３  ラミネートフィルム基材
４  リール保持部
５  フィルム繰り出し部
６  台紙巻取り部
７  吸着ヘッド
８  ラミネートフィルム
９  台紙
１３  繰り出し案内板
１４  押えゴム板
２３  弾性パッド
２４  吸着部材
２５  ラベル
２６  台紙
２７  ラベル発行口
２８  ラベル載せ台
３０  繰り出し案内板
３１  押えローラ
【図１】
2004237568.tif 000003
【図２】
2004237568.tif 000004
【図３】
2004237568.tif 000005
【図４】
2004237568.tif 000006
【図５】
2004237568.tif 000007
【図６】
2004237568.tif 000008
【図７】
2004237568.tif 000009
【図８】
2004237568.tif 000010